(57)【要約】【課題】必要とする部分の錘重量を確保すると共に、外部から容易に視認可能な部分のゴルフクラブヘッド形状の設計自由度を存置し、しかも贅肉を排除する。【解決手段】アイアンクラブヘッドは、フェース部１０を有して該フェース部の背面側にキャビティーを有するヘッド本体１２と、該ヘッド本体形成材料よりも比重の大きな金属材料の重量調節体１４とを具備し、１個又は複数個の要素体からなる重量調節体は、トウ側とヒール側を結ぶ前後方向に直交する平面による横断面における一部分がアイアンクラブヘッドのソール部のバック側の下端部に位置していると共に、前記前後方向に直交する左右方向の肉厚が該前後方向において大小に変化し、更に、バック側をヘッド本体に対して滑らかに連続形成し、フェース部側を凹凸させて前記大小変化を成し、前記ヘッド本体のキャビティーの下方部の面ＫＢ１が、前記肉厚の大小変化に沿って凹凸状に形成されているよう構成する。【選択図】        図７
2005118157.tif 000002
【特許請求の範囲】
【請求項１】
アイアンクラブヘッドは、フェース部を有して該フェース部の背面側にキャビティーを有するヘッド本体と、該ヘッド本体形成材料よりも比重の大きな金属材料の重量調節体とを具備し、
１個又は複数個の要素体からなる重量調節体は、
トウ側とヒール側を結ぶ前後方向に直交する平面による横断面における一部分がアイアンクラブヘッドのソール部のバック側の下端部に位置していると共に、
前記前後方向に直交する左右方向の肉厚が該前後方向において大小に変化し、
更に、バック側をヘッド本体に対して滑らかに連続形成し、フェース部側を凹凸させて前記大小変化を成し、
前記ヘッド本体のキャビティーの下方部の面が、前記肉厚の大小変化に沿って凹凸状に形成されている
ことを特徴とするアイアンクラブヘッド。
【請求項２】
要素体が１個の場合の前記重量調節体は、前記前後方向長さの大部分の長さ範囲において、前記横断面において、前記左右方向の肉厚寸法に対し、これに直交する上下方向の肉厚寸法の寸法比が、５０％以内の差の範囲内にある請求項１記載のアイアンクラブヘッド。
【請求項３】
要素体が複数個の場合の前記重量調節体は、各要素体が前記前後方向長さの大部分の長さ範囲において、前記横断面において、前記左右方向の肉厚寸法に対し、これに直交する上下方向の肉厚寸法の寸法比が、５０％以内の差の範囲内にある請求項１記載のアイアンクラブヘッド。
【発明の詳細な説明】
【技術分野】
【０００１】
本発明は、ゴルフクラブにおける、背面側にキャビティーを設けたアイアンクラブヘッドに関するものである。
【背景技術】
【０００２】
ゴルフにおいて、ボールの打撃位置よりもヘッドの重心位置が低ければ、ボールの打出し角の大きな高弾道となり、飛距離が増大する。また、バックスピン量を適宜減少できて飛距離が増大する傾向となる。また、重心をフェース面から背面側に遠ざけて重心深度を深くすれば、ヘッドの慣性モーメントが大きくなるため、ヘッドが安定し、打撃位置がスィートスポットから外れても飛距離を維持し易い（スィートエリアが広がる）。こうしたことから、重心位置を低位置にしたり、深くしたりの工夫がなされている。重心位置や重量の調節用の錘をバック部に設けた例が下記特許文献１に開示されている。この文献では、トウ・ヒール方向（前後方向）中央部とトウ部とヒール部において、上方に向かって錘を延伸させ、慣性モーメントの増大による打撃時の安定と、打感の向上が図られている。
【特許文献１】実用新案登録第３０８９２４７号公報
【発明の開示】
【発明が解決しようとする課題】
【０００３】
しかし、上記公報に開示の構造は、錘のフェース・バック方向（左右方向）の肉厚を変えないで、上方に伸ばした形状であるため、重心深さは深くできるが、上に伸ばした分重心が高くなる不都合があると共に、特にバック壁部の中央部に見られるように、外部から容易に視認可能なゴルフクラブヘッドの形状が、錘の形状によって規定されており、ゴルフクラブヘッドの形状設計の自由度が損なわれる。
依って解決しようとする課題は、必要とする部分の錘重量を確保すると共に、外部から容易に視認可能な部分のゴルフクラブヘッド形状の設計自由度を存置し、しかも贅肉を排除したゴルフクラブヘッドの提供を目的とする。
また、これに加えて、可及的に低重心と深い重心深度を確保したゴルフクラブヘッドの提供を目的とする。
【課題を解決するための手段】
【０００４】
上記前者目的に鑑みて本発明は、アイアンクラブヘッドは、フェース部を有して該フェース部の背面側にキャビティーを有するヘッド本体と、該ヘッド本体形成材料よりも比重の大きな金属材料の重量調節体とを具備し、１個又は複数個の要素体からなる重量調節体は、トウ側とヒール側を結ぶ前後方向に直交する平面による横断面における一部分がアイアンクラブヘッドのソール部のバック側の下端部に位置していると共に、前記前後方向に直交する左右方向の肉厚が該前後方向において大小に変化し、更に、バック側をヘッド本体に対して滑らかに連続形成し、フェース部側（キャビティー側）を凹凸させて前記大小変化を成し、前記ヘッド本体のキャビティーの下方部の面が、前記肉厚の大小変化に沿って凹凸状に形成されていることを特徴とするアイアンクラブヘッドを提供する。
重量調節体は、トウ側とヒール側を結ぶ前後方向に直交する平面による横断面における一部分がアイアンクラブヘッドのソール部のバック側の下端部に位置しているとは、簡単に言えば、重量調節体がバック側下端隅部に位置していることである。従って、複数個の要素体の場合は、前記前後方向に並んでおり、１個の場合で細長い場合は前後方向に延伸しているといえる。但し、１個の場合でもヘッドのトウ側のみやヒール側のみ、或いはその中間部にのみ設けられるような短い要素体の場合は、単にバック側下端隅部に位置しているというに過ぎない。
肉厚の大小は（小の場合）、ゼロの場合を含む表現である。即ち、複数個の要素体に別れている場合、それらの間では肉厚はゼロであるが、そこも肉厚小と表現する。
一般的な表現をして、ソール部の後端部から立ち上がったバック部が存在している場合において、上記記載に言うソール部とは、そのバック部の下方部をも含めている。即ち、バック部下方部をソール部の一部と見なしている。従って、この場合、ソール部のバック側の下端部とは、一般的にバック部を使用して表現すれば、バック部背面の下端部といえる。また、ヘッド本体が別材料で形成したフェースプレートを有する場合等、２種類上の金属で形成されている場合、重量調節体の比重はその何れよりも大きい。
【０００５】
また、要素体が１個の場合の前記重量調節体は、前記前後方向長さの大部分の長さ範囲において、前記横断面において、前記左右方向の肉厚寸法に対し、これに直交する上下方向の肉厚寸法の寸法比が、５０％以内の差の範囲内にある請求項１記載のアイアンクラブヘッドを提供する。
大部分とは８０％程度以上をいう。以下同じ。
要素体が複数個の場合の前記重量調節体は、各要素体が前記前後方向長さの大部分の長さ範囲において、前記横断面において、前記左右方向の肉厚寸法に対し、これに直交する上下方向の肉厚寸法の寸法比が、５０％以内の差の範囲内にある請求項１記載のアイアンクラブヘッドを提供する。
【発明の効果】
【０００６】
重量調節体をソール部のバック側の下端部に一部が位置するように配設するため、ゴルフクラブヘッドの重心位置が低くでき、また、重心深度も深くできる。その上で、各ゴルフクラブヘッドの設計において、打感を向上させたい場合は、前後方向中央部付近に重量を集中させ、また、打撃時のゴルフクラブヘッドの安定を重視する場合は、重量をトウ側とヒール側に集中させる。従って、前後方向に延伸又は配設された重量調節体の、前後方向に直交する平面による横断面における肉厚を、所定の位置では（ゼロを含む意味で）小さく、また、他の所定の位置では大きくというように大小変化させる。この場合、大きくする肉厚の方向は、文献１のように上方のみにするのではなく、少なくとも左右方向において行い、その限りで重心を低くできると共に、その左右方向の肉厚変化は、バック側ではなくフェース部側を凹凸状に変化させて成すのである。即ち、外部から視認し難いキャビティー側を凹凸させて、外部から視認容易な外側領域のみに重量調節による大きな凹凸を負わせることを防止できる。以上より、ゴルフクラブヘッドの外部から視認容易な外側領域の形状設計の自由度が向上する。従って、本願は、上下方向にも凹凸の生じる形態を排除はしていない。また、ヘッド本体のキャビティーを形成している面の下方部の面が、前記肉厚の大小変化に沿って凹凸状に形成されているとは、即ち、凹状の部位ではその窪んだ分肉を除去しているのであり、材料の無駄を無くしているとも言え、また言い換えると、除去した肉を、例えば、慣性モーメント向上のために、ゴルフクラブヘッドの周辺部等の必要部位に再配置でき、効果的である。
【０００７】
後者２つの発明では、上記横断面の上下と左右の肉厚寸法比が５０％以内の差の範囲内であるため、何れか一の方向に大きく延伸しているわけではないため、重心位置の低さと重心深度の深さとを、共に程よく達成でき、飛距離を伸ばしたり、打撃を安定させ易くなる。
【発明を実施するための最良の形態】
【０００８】
以下、本発明を図面を参照して詳細に説明する。図１から図７は本発明に係るゴルフクラブヘッドの第１形態例を示している。図１はライ角θ通りに地面に載置した正面図、図２はその矢視線Ｂ−Ｂによる横断面図、図３は背面図、図４は図３の矢視線Ｄ方向から見た下面図、図５は図１の矢視線Ｅ−Ｅによる横断面図、図６は図１のゴルフクラブヘッドからヘッド本体以外を除去した正面図、図７は図１の矢視線Ｇ−Ｇによる断面図である。以下では重量調節体が１個の要素体で形成されている例を説明する。
【０００９】
図１の左右方向が本願での前後方向であり、上下方向がそのまま上下方向であり、図面に直交する方向が左右方向である。本願においてゴルフクラブヘッドの方向を定める必要がある場合は、ライ角θ通りに地面に載置した状態で定める。また、以下の例では明確にバック部１２Ｂを有する形態であるが、このバック部の有無が不明であっても、無くてもよい。
【００１０】
このゴルフクラブヘッドは、ヘッド本体と重量調節体１４とを有して形成されている。このヘッド本体は、フェース部を形成する別材料のフェースプレート１０を有しており、該プレートを溶接して形成している。以下では、特許請求の範囲の用語と異なるが説明を簡単にするために、フェースプレート１０を除いた残り部をヘッド本体１２とする。フェースプレートは高反発性を有し、比較的比重の小さな（好ましくは比重が５以下）材料、例えば、チタンやチタン合金、マグネシウム合金、ジュラルミン、アルミニウム合金等で形成される。ヘッド本体は、ステンレス等の金属材料による鋳造等によって形成される。重量調節体は、ヘッド本体よりも比重の大きな、好ましくは比重が７以上の、金属材料で形成される。例えば、ステンレス、ニッケル銅合金、タングステン、タングステン合金等である。但し、ヘッド本体に対して溶接できる材料であることが好ましい。以下の実施形態例では、重量調節体はヘッド本体に対して溶接接合されている。
【００１１】
図６に示す様に、段差部１２Ｄを設けたヘッド本体１２にフェースプレート１０を載置して周囲を溶接接合する。また、ヘッド本体には、金属やＦＲＰ製のシャフト１６を挿入接続するホーゼル部１２ＨＺを有している。ゴルフクラブヘッド又はヘッド本体部１２の下部がソール部１２Ｓであり、上部がトップ部１２Ｕであり、先端部がトウ部１２Ｔ、後端部がヒール部１２Ｈである。また、本願では、ソール部のバック側に立設されたバック部１２Ｂが形成され、フェースプレート１０の背面側にキャビティーＫＢが形成されている。このキャビティーは、フェースプレートの成すフェース部の裏面と、トップ部１２Ｕの下面ＫＢ２と、ソール部の上面とバック部のフェースプレート側の面とを合わせた面ＫＢ１とによって囲まれている。この面ＫＢ１をキャビティーＫＢの下方部の面とも言う。バック部が無い場合は、面ＫＢ１がソール部の上面だけで構成されるというだけである。
【００１２】
重量調節体１４は既述の意味でのソール部のバック側の下端部に横断面の一部が位置して、外部に露出している。即ち、既述の定義をしないで一般的に表現すれば、この例の場合は、バック部外側面（背面）の下端部に重量調節体横断面の一部が位置している。そして、ゴルフクラブヘッドの前後方向に延伸している。この位置の狙いとしては、重量調節体をこの角部とでも言うべき位置に位置させることにより、重心を低くすると共に、重心深度を深くするという狙いである。以下に説明する重量調節体の左右方向と上下方向の各肉厚寸法比は、本願の広い発明範囲（請求項１）には不要な要件である。
【００１３】
図３，４，６，７を参照すれば明らかなように、この例での重量調節体１４は、ゴルフクラブヘッドの前後方向中央領域において細く、トップ側とヒール側とにおいて太く形成されている。図１のゴルフクラブヘッドの前後方向中央部（Ｂ−Ｂ）における重量調節体横断面形状を図示している図２の、左右方向肉厚（最大となる肉厚を意味する。他も同様である。）Ｔ１に対し、上下方向の肉厚Ｈ１は０．７程度である。また、図５での左右方向肉厚Ｔ２に対する上下方向肉厚Ｈ２の比は略１である。しかし、肉厚Ｔ２は肉厚Ｔ１よりも大であり、この例では肉厚Ｈ２も肉厚Ｈ１よりも大である。
【００１４】
一方、ゴルフクラブヘッドのバック面は滑らかに前後方向に延伸しており、重量調節体１４の露出しているバック側面もこれに沿っているため、上記の肉厚Ｔ１とＴ２による凹凸変化は、バック側ではなく、フェースプレート側に出現している。この左右方向でのフェースプレート側への凹凸は、外部から容易に視認できる形状には殆ど影響しない。即ち、外観形状設計には影響し難い。
【００１５】
また、図２でのキャビティーの下方部の面ＫＢ１’の属する部分の肉厚ｔ１は、図５でのキャビティーの下方部の面ＫＢ１”の属する部分の肉厚ｔ２と大きくは変わらない。即ち、下方部の面ＫＢ１は、図１のトウ部寄り領域の面ＫＢ１”に対して中央部寄り領域の面ＫＢ１’は窪んでおり、窪みに匹敵する肉部を除去しているといえる。この除去分だけ無駄肉を無くしたとも言え、また、その部分を他の必要とする領域に有効に配分したとも言える。この面ＫＢ１の凹凸は外部から視認し難い。重量調節体やキャビティーの下方部の面等に関しては、図１に示す位置Ｅ’−Ｅ’等のヒール部寄りの領域も矢視線Ｅ−Ｅの領域と同様に中央部（Ｂ−Ｂ）よりも膨出しており、以上において図２と図５の対比で説明した各事項と同様のことが言える。
【００１６】
以上の第１形態例では、スィートエリアを大きくして打撃時のヘッドの安定を狙っているが、打撃時の打感を向上させるために、ゴルフクラブヘッドの前後方向中央部に重量を集中させたい場合は、図７に対応する図としての図８と、その矢視線Ｉ−Ｉによる横断面の図９で示す第２形態例のように構成する。即ち、重量調節体１４’の延伸前後方向の中央部を、フェースプレート側に向かって膨出させた形状にする。対応するキャビティーの下方部の面ｋｂ１も、中央部の膨出部ｋｂ１’、トウ部１２Ｔ側の凹部ｋｂ１”、ヒール部１２Ｈ側の凹部ｋｂ１”というように形成している。
【００１７】
また、重量をトウ部１２Ｔ側に集めて、打撃時のフェース面の開きを防止し易くし、スライスを防止する狙いのゴルフクラブヘッドの第３形態例を図１０に示す。重量調節体１４”はトウ部側をフェースプレート側に厚肉形状にする。キャビティーの下方部の面ｋｂ１は、トウ部寄り領域の面ｋｂ１”がその他の領域の面ｋｂ１’よりも膨出し、凹凸になっている。
図示は略するが、図１０とは異なり、ヒール部側に重量を集めると、シャフト軸心からの重心までの距離が短くなり、コントロールし易くなる。こうしたゴルフクラブヘッドも、本願構成で製作できる。
【００１８】
以上では、要素体が１個の比較的細長い重量調節体の例であるが、図７の２点鎖線１４Ａ，１４Ｂで示す様に、トウ側とヒール側とに、夫々要素体１４Ａ、要素体１４Ｂが設けられ、それらの間には設けない場合でも本願は適用される。この場合、各要素体のバック側は、ヘッド本体１２のバック側に滑らかに連続形成されるが、フェースプレート１０側では、２つの要素体の間の領域である前後方向の中間部におけるキャビティーの下方部の面は、例えば、破線のように窪んで形成される。これらの作用効果は第１形態例の場合と同様である。
【００１９】
また、図１０のような狙いの場合に、トウ側領域のみに短い１個の要素体（重量調節体）を設け、他の領域には要素体を設けない構成とすることもできる。この事以外は、図１０を用いて説明した上記形態例の場合と同様である。
更に本発明では、ヘッド本体１２とフェースプレート１０が同一材料で一体形成されたアイアンクラブヘッドであってもよい。各実施形態例を、ゴルフクラブセット内で番手毎に選択してもよい。
【産業上の利用可能性】
【００２０】
本発明は、アイアンクラブヘッドに利用できる。
【図面の簡単な説明】
【００２１】
【図１】図１は本発明に係るゴルフクラブヘッド正面図である。
【図２】図２は図１の矢視線Ｂ−Ｂによる横断面図である。
【図３】図３は図１のゴルフクラブヘッドの背面図である。
【図４】図４は図３の矢視Ｄによる底面図である。
【図５】図５は図１の矢視線Ｅ−Ｅによる横断面図である。
【図６】図６はヘッド本体のみの正面図である。
【図７】図７は図１の矢視線Ｇ−Ｇによる断面図である。
【図８】図８は本発明に係るゴルフクラブヘッドの第２形態例を示し、図７に対応する図である。
【図９】図９は図８の矢視線Ｉ−Ｉによる横断面図である。
【図１０】図１０は本発明に係るゴルフクラブヘッドの第３形態例を示し、図７に対応する図である。
【符号の説明】
【００２２】
１０                    フェースプレート
１２                    ヘッド本体
１４                    重量調節体
ＫＢ                    キャビティー
ＫＢ１                  キャビティーの下方部の面
【図１】
2005118157.tif 000003
【図２】
2005118157.tif 000004
【図３】
2005118157.tif 000005
【図４】
2005118157.tif 000006
【図５】
2005118157.tif 000007
【図６】
2005118157.tif 000008
【図７】
2005118157.tif 000009
【図８】
2005118157.tif 000010
【図９】
2005118157.tif 000011
【図１０】
2005118157.tif 000012